(57)【要約】【課題】操作者が毎日同じ時間帯に同じ操作を行う際に操作時間の短縮を図るとともに人的操作ミスを防止することができる貨幣取引装置および貨幣取引方法を提供する。【解決手段】貨幣取引装置１０は、ＩＤ情報を受け付けるＩＤ情報受付部２８と、ＩＤ情報に対応する処理可能内容を、予め設定された複数の時間帯毎に記憶する記憶部２６と、表示部２２と、制御部２０とを備えている。制御部２０は、現在の時刻、およびＩＤ情報受付部２８により受け付けられたＩＤ情報に対応する、記憶部２６に記憶された処理可能内容を表示部２２に表示させるよう当該表示部２２の制御を行う。【選択図】図４
2012203450.tif 000002
【特許請求の範囲】
【請求項１】
ＩＤ情報を受け付けるＩＤ情報受付部と、
ＩＤ情報に対応する処理可能内容を、予め設定された複数の時間帯毎に記憶する記憶部と、
表示部と、
現在の時刻、および前記ＩＤ情報受付部により受け付けられたＩＤ情報に対応する、前記記憶部に記憶された処理可能内容を前記表示部に表示させるよう当該表示部の制御を行う制御部と、
を備えたことを特徴とする貨幣取引装置。
【請求項２】
前記ＩＤ情報は、操作者ＩＤ情報またはレジＩＤ情報を含むことを特徴とする請求項１記載の貨幣取引装置。
【請求項３】
前記時間帯は、日毎の時間帯または曜日毎の時間帯であることを特徴とする請求項１または２記載の貨幣取引装置。
【請求項４】
前記処理可能内容は、前記貨幣取引装置からの貨幣の出金額の上限値に係る情報または前記貨幣取引装置への貨幣の入金額の上限値に係る情報を含むことを特徴とする請求項１乃至３のいずれか一項に記載の貨幣取引装置。
【請求項５】
前記ＩＤ情報受付部は、操作者が携帯するＩＤカードを読み取るカードリーダからなることを特徴とする請求項１乃至４のいずれかに記載の貨幣取引装置。
【請求項６】
前記制御部に対して操作者が指令を行うための操作部を更に備え、
前記制御部は、前記表示部に処理可能内容が表示された後、前記操作部により確定の指令が与えられたときに、前記貨幣取引装置において前記表示部に表示された前記処理可能内容を実行するよう当該貨幣取引装置の制御を行うことを特徴とする請求項１乃至５のいずれか一項に記載の貨幣取引装置。
【請求項７】
貨幣取引装置における貨幣取引方法であって、
ＩＤ情報に対応する処理可能内容を、予め設定された複数の時間帯毎に記憶部に記憶させておく工程と、
前記貨幣取引装置においてＩＤ情報を受け付ける工程と、
現在の時刻、および前記貨幣取引装置において受け付けられたＩＤ情報に対応する、前記記憶部に記憶された処理可能内容を表示部に表示させる工程と、
を備えたことを特徴とする貨幣取引方法。
【請求項８】
前記表示部に処理可能内容が表示された後、前記貨幣取引装置に対して確定の指令が与えられたときに、前記貨幣取引装置において前記表示部に表示された前記処理可能内容を実行する工程を更に備えたことを特徴とする請求項７記載の貨幣取引方法。
【発明の詳細な説明】
【技術分野】
【０００１】
本発明は、貨幣の処理を行う貨幣取引装置および貨幣取引方法に関し、とりわけ、操作者が毎日同じ時間帯に同じ操作を行う際に操作時間の短縮を図るとともに人的操作ミスを防止することができる貨幣取引装置および貨幣取引方法に関する。
【背景技術】
【０００２】
従来から、貨幣の処理を行う貨幣取引装置として様々な種類のものが用いられている。例えば、特許文献１には、金融機関や交通機関の窓口、あるいはスーパーマーケット等の精算所において紙幣や硬貨の入金処理や出金処理を行う貨幣入出金処理システムが開示されている。従来の貨幣取引装置では、操作者が携帯するＩＤカードをカードリーダにより読み取ることによって操作者ＩＤ情報が受け付けられ、この受け付けられた操作者ＩＤ情報に基づいて当該操作者ＩＤ情報に対応する処理内容が実行可能となる。このようにして、操作者の管理権限に応じて実行可能な処理内容を操作者毎に変えることができるようになっている。
【先行技術文献】
【特許文献】
【０００３】
【特許文献１】特許第４１２８２４４号
【発明の概要】
【発明が解決しようとする課題】
【０００４】
従来から用いられている貨幣取引装置では、上述のように、操作者ＩＤ情報に基づいて当該操作者ＩＤ情報に対応する処理内容が実行可能となっている。しかしながら、操作の予測が行われることがないため、操作者は貨幣取引装置において毎日同じ操作を行わなければならないという問題がある。また、従来から用いられている貨幣取引装置において、時間帯によって処理モードを自動的に変更するものが知られているが、このような貨幣取引装置において操作者の管理権限に応じて処理モードの内容を変えるという処理は従来行われていなかった。
【０００５】
本発明は、このような点を考慮してなされたものであり、現在の時刻、およびＩＤ情報受付部において受け付けられたＩＤ情報に対応する、記憶部に記憶された処理可能内容を表示部に表示させることにより、操作者が毎日同じ時間帯に同じ操作を行う際に操作時間の短縮を図るとともに人的操作ミスを防止することができる貨幣取引装置および貨幣取引方法を提供することを目的とする。
【課題を解決するための手段】
【０００６】
本発明の貨幣取引装置は、ＩＤ情報を受け付けるＩＤ情報受付部と、ＩＤ情報に対応する処理可能内容を、予め設定された複数の時間帯毎に記憶する記憶部と、表示部と、現在の時刻、および前記ＩＤ情報受付部により受け付けられたＩＤ情報に対応する、前記記憶部に記憶された処理可能内容を前記表示部に表示させるよう当該表示部の制御を行う制御部と、を備えたことを特徴とする。
【０００７】
このような貨幣取引装置によれば、ＩＤ情報受付部においてＩＤ情報が受け付けられたときに、現在の時刻、およびＩＤ情報受付部において受け付けられたＩＤ情報に対応する、記憶部に記憶された処理可能内容のみを表示部に表示させることにより、操作者により実行可能な処理内容とは全く関係のない処理内容を含む全ての処理内容を表示部に表示させる場合と比較して、操作者が毎日同じ時間帯に同じ操作を行う際に操作時間の短縮を図るとともに人的操作ミスを防止することができる。
【０００８】
本発明の貨幣取引装置においては、前記ＩＤ情報は、操作者ＩＤ情報またはレジＩＤ情報を含むようになっていてもよい。
【０００９】
本発明の貨幣取引装置においては、前記時間帯は、日毎の時間帯または曜日毎の時間帯であってもよい。
【００１０】
本発明の貨幣取引装置においては、前記処理可能内容は、前記貨幣取引装置からの貨幣の出金額の上限値に係る情報または前記貨幣取引装置への貨幣の入金額の上限値に係る情報を含んでいてもよい。
【００１１】
本発明の貨幣取引装置においては、前記ＩＤ情報受付部は、操作者が携帯するＩＤカードを読み取るカードリーダからなっていてもよい。
【００１２】
本発明の貨幣取引装置においては、前記制御部に対して操作者が指令を行うための操作部を更に備え、前記制御部は、前記表示部に処理可能内容が表示された後、前記操作部により確定の指令が与えられたときに、前記貨幣取引装置において前記表示部に表示された前記処理可能内容を実行するよう当該貨幣取引装置の制御を行うようになっていてもよい。
【００１３】
本発明の貨幣取引方法は、貨幣取引装置における貨幣取引方法であって、ＩＤ情報に対応する処理可能内容を、予め設定された複数の時間帯毎に記憶部に記憶させておく工程と、前記貨幣取引装置においてＩＤ情報を受け付ける工程と、現在の時刻、および前記貨幣取引装置において受け付けられたＩＤ情報に対応する、前記記憶部に記憶された処理可能内容を表示部に表示させる工程と、を備えたことを特徴とする。
【００１４】
このような貨幣取引方法によれば、ＩＤ情報が受け付けられたときに、現在の時刻、および受け付けられたＩＤ情報に対応する、記憶部に記憶された処理可能内容のみを表示部に表示させることにより、操作者により実行可能な処理内容とは全く関係のない処理内容を含む全ての処理内容を表示部に表示させる場合と比較して、操作者が毎日同じ時間帯に同じ操作を行う際に操作時間の短縮を図るとともに人的操作ミスを防止することができる。
【００１５】
本発明の貨幣取引方法においては、前記表示部に処理可能内容が表示された後、前記貨幣取引装置に対して確定の指令が与えられたときに、前記貨幣取引装置において前記表示部に表示された前記処理可能内容を実行する工程を更に備えていてもよい。
【発明の効果】
【００１６】
本発明の貨幣取引装置および貨幣取引方法によれば、操作者が毎日同じ時間帯に同じ操作を行う際に操作時間の短縮を図るとともに人的操作ミスを防止することができる。
【図面の簡単な説明】
【００１７】
【図１】本発明の一の実施の形態による貨幣入出金機が設けられた店舗システムの構成を示す構成図である。
【図２】図１に示す貨幣入出金機の斜視図である。
【図３】図２に示す貨幣入出金機の制御ブロック図である。
【図４】各々の作業時間帯における操作者毎の処理可能内容を示す表であって、（ａ）は、土日祝日を除く平日における処理可能内容を示す表であり、（ｂ）は、土日祝日における処理可能内容を示す表である。
【図５】図１に示す店舗システムにおける各処理内容を示す表である。
【発明を実施するための形態】
【００１８】
以下、図面を参照して本発明の一の実施の形態について説明する。図１乃至図５は、本実施の形態に係る貨幣入出金機（貨幣取引装置）等を示す図である。このうち、図１は、本実施の形態による貨幣入出金機が設けられた店舗システムの構成を示す構成図である。また、図２は、本実施の形態による貨幣入出金機の斜視図であり、図３は、図２に示す貨幣入出金機の制御ブロック図である。また、図４は、各々の作業時間帯における操作者毎の処理可能内容を示す表であり、図５は、図１に示す店舗システムにおける各処理内容を示す表である。
【００１９】
図１に示すように、店舗システム１には、複数のレジスター７０と、貨幣入出金機１０と、金庫８０とが設けられている。より詳細には、店舗システム１は、店員が顧客との間で実際にやりとりした現金を入出金するフロント領域２と、フロント領域２の現金や商品を管理するバックヤード領域３とに区分けされており、各レジスター７０はフロント領域２に配置されているとともに、貨幣入出金機１０および金庫８０はバックヤード領域３に配置されている。また、店舗システム１とは別の場所には警備会社９０が設けられており、警備会社９０における警備員が、貨幣入出金機１０や金庫８０から店舗システム１における店舗売上金等を回収したり、店舗システム１の各レジスター７０で用いられる釣銭準備金等を貨幣入出金機１０および金庫８０に補充したりするようになっている。
【００２０】
次に、図２を用いて貨幣入出金機１０の構成の概略について説明する。図２に示すように、本実施の形態による貨幣入出金機１０は、紙幣入出金装置４０と、硬貨入出金装置５０と、棒金投出装置６０とを備えている。紙幣入出金装置４０は、筐体４０ａの外部から内部に投入されたバラ紙幣を金種別に収納するとともに、収納されたバラ紙幣を筐体４０ａの内部から外部に投出するようになっている。また、硬貨入出金装置５０は、筐体５０ａの外部から内部に投入されたバラ硬貨を金種別に収納するとともに、収納されたバラ硬貨を筐体５０ａの内部から外部に投出するようになっている。また、棒金投出装置６０は、筐体６０ａ内に収納された棒金硬貨を当該筐体６０ａの外部に投出するようになっている。
【００２１】
また、図３に示すように、貨幣入出金機１０には制御部２０が設けられており、紙幣入出金装置４０、硬貨入出金装置５０および棒金投出装置６０はそれぞれ制御部２０に接続されている。そして、制御部２０がこれらの紙幣入出金装置４０、硬貨入出金装置５０および棒金投出装置６０にそれぞれ制御信号を送ることにより、紙幣入出金装置４０、硬貨入出金装置５０および棒金投出装置６０の制御を行うようになっている。
【００２２】
また、図２に示すように、紙幣入出金装置４０にはターミナル装置２１が載置されており、このターミナル装置２１には、様々な情報を表示するためのモニタ等からなる表示部２２と、操作者が制御部２０に対して様々な指令を行うための操作部２４と、操作者が携帯するＩＤカードを読み取るためのカードリーダ２８とがそれぞれ設けられている。本発明においては、ターミナル装置２１に設けられたカードリーダ２８により、操作者ＩＤ情報を受け付けるＩＤ情報受付部が構成されている。また、図３に示すように、制御部２０には記憶部２６が接続されており、この記憶部２６には貨幣入出金機１０における様々な設定情報、ならびに貨幣の入金結果や出金結果等が記憶されるようになっている。ここで、図３で示される制御部２０および記憶部２６はそれぞれターミナル装置２１内に収容されている。
【００２３】
また、ターミナル装置２１には、感熱紙等に所定の情報を印字するサーマルプリンタ３０と、貨幣入出金機１０における貨幣の入金結果や出金結果等の所定の情報を帳票等に印字する認証プリンタ３２とが接続されている。図３に示すように、これらのサーマルプリンタ３０や認証プリンタ３２は制御部２０に接続されており、制御部２０からサーマルプリンタ３０や認証プリンタ３２に指令信号が送られることによりこれらのサーマルプリンタ３０や認証プリンタ３２において印字が行われるようになっている。
【００２４】
また、図３に示すように、ターミナル装置２１内には、警備会社９０に設置されたコンピュータ３６や、店舗の本部に設置された上位機器３８等に情報を送信したり、これらのコンピュータ３６や上位機器３８から情報を受信したりする送受信部３４が収容されており、この送受信部３４は制御部２０に接続されるようになっている。
【００２５】
次に、図１に示す店舗システム１における様々な処理の内容について図５に示す表を用いて説明する。
【００２６】
まず、フロント領域２に設けられたレジスター７０とバックヤード領域３に設けられた貨幣入出金機１０との間で行われる処理内容としては、以下に示すようなものが挙げられる。具体的には、図１において符号（ａ）で示すように、レジスター７０から貨幣入出金機１０へレジ売上金を入金するという処理が行われるようになっている。このような処理は、店長や特定の管理権限を有する社員Ａ、ならびにテナントの店員等により行われるようになっている。
【００２７】
また、図１において符号（ｂ）（ｉ）で示すように、貨幣入出金機１０から釣銭準備金を出金してレジスター７０に補充するという処理が行われるようになっている。このような貨幣入出金機１０からの釣銭準備金の出金は、全てのレジスター７０に対して行われるか（符号（ｂ））、あるいは操作者が担当する特定の担当レジスター７０に対してのみ行われる（符号（ｉ））ようになっている。なお、全てのレジスター７０に対して行われる貨幣入出金機１０からの釣銭準備金の出金は、店長や社員Ａ、ならびに社員Ａよりも管理権限の小さい社員Ｂや社員Ｃ等により行われるようになっている。また、特定の担当レジスター７０に対してのみ行われる貨幣入出金機１０からの釣銭準備金の出金は、パートやテナントの店員等により行われるようになっている。
【００２８】
また、図１において符号（ｃ）（ｊ）で示すように、貨幣入出金機１０とレジスター７０との間で貨幣を両替するという処理が行われるようになっている。このような貨幣入出金機１０とレジスター７０との間における貨幣の両替は、全てのレジスター７０に対して行われるか（符号（ｃ））、あるいは担当レジスター７０に対してのみ行われる（符号（ｊ））ようになっている。なお、全てのレジスター７０に対して行われる貨幣入出金機１０との間の貨幣の両替は、店長や社員Ａ、社員Ｂ、社員Ｃ等により行われるようになっている。一方、担当レジスター７０に対してのみ行われる貨幣入出金機１０との間の貨幣の両替は、パートやアルバイト、テナントの店員等により行われるようになっている。
【００２９】
次に、バックヤード領域３にそれぞれ設けられた貨幣入出金機１０と金庫８０との間で行われる処理内容について説明する。貨幣入出金機１０と金庫８０の間で行われる処理内容としては、以下に示すようなものが挙げられる。具体的には、図１において符号（ｄ）で示すように、金庫８０から取り出された配送金（翌日分の釣銭準備金）を貨幣入出金機１０に補充するという処理が行われるようになっている。このような処理は、店長や特定の管理権限を有する社員Ａ等により行われるようになっている。
【００３０】
また、図１において符号（ｅ）で示すように、貨幣入出金機１０から貨幣を回収して金庫８０に収納するという処理が行われるようになっている。このような処理も、店長や社員Ａ等により行われるようになっている。
【００３１】
また、図１において符号（ｆ）で示すように、貨幣入出金機１０と金庫８０との間で貨幣を両替するという処理が行われるようになっている。このような処理も、店長や社員Ａ等により行われるようになっている。
【００３２】
次に、バックヤード領域３に設けられた貨幣入出金機１０や金庫８０と警備会社９０の間で行われる処理内容について説明する。貨幣入出金機１０や金庫８０と警備会社９０の間で行われる処理内容としては、以下に示すようなものが挙げられる。具体的には、図１において符号（ｇ）で示すように、警備会社９０から配送金（翌日分の釣銭準備金）を受け取り、金庫８０に補充するという処理が行われるようになっている。このような処理は、店長等により行われるようになっている。
【００３３】
また、図１において符号（ｈ）に示すように、貨幣入出金機１０や金庫８０から配送金（店舗売上金）の回収を行って警備会社９０に運搬するという処理が行われるようになっている。このような処理は、警備会社９０の警備員等により行われるようになっている。
【００３４】
本実施の形態の貨幣入出金機１０においては、ターミナル装置２１内に設けられた記憶部２６には、図５に示す各処理内容のうち、操作者が操作可能な処理可能内容が、操作者の種類毎に、かつ予め設定された複数の曜日毎の時間帯毎に記憶されるようになっている。より具体的には、図４（ａ）（ｂ）に示すように、土日祝日を除く平日、および土日祝日の各々について、操作者の種類毎に、７つの時間帯についてそれぞれ１または複数の処理可能内容が設定されており、このような設定内容が記憶部２６に記憶されるようになっている。ここで、操作者の種類としては、店長、特定の管理権限を有する社員Ａ、社員Ａよりも管理権限の小さい社員Ｂや社員Ｃ、パート、アルバイト、テナントの店員、警備員等が挙げられる。また、時間帯としては、６時〜９時、９時〜１２時、１２時〜１５時、１５時〜１８時、１８時〜２１時、２１時〜０時、０時〜６時と、３時間または６時間毎に区切られたものが用いられるようになっている。このため、各々の種類の操作者は、図４（ａ）（ｂ）に示されるような設定内容に基づいて、各々の時間帯について、特定の処理内容のみを実行するようになっている。例えば、パートは、土日祝日を除く平日において、９時から１８時までの時間帯では、符号（ｉ）（ｊ）で示す処理内容、すなわちこのパートが担当する特定のレジスター７０に対してのみ行われる貨幣入出金機１０からの釣銭準備金の出金や、当該パートが担当する特定のレジスター７０に対してのみ行われる貨幣入出金機１０との間の貨幣の両替のみを行うことができるようになる。
【００３５】
次に、このような構成からなる貨幣入出金機１０の動作について以下に説明する。以下に示す貨幣入出金機１０の動作は、制御部２０が貨幣入出金機１０の各構成要素を制御することにより行われるようになっている。
【００３６】
まず、操作者は、自分が携帯するＩＤカードをカードリーダ２８により読み取らせる。カードリーダ２８は、ＩＤカードを読み取ることにより操作者ＩＤ情報を検知し、この操作者ＩＤ情報を制御部２０に送信する。
【００３７】
制御部２０は、現在の時刻および操作者ＩＤ情報に対応する、記憶部２６に記憶された処理可能内容を表示部２２に表示させる。具体的には、図４に示すような表に基づいて、カードリーダ２８により読み取られたＩＤカードの操作者ＩＤ情報および現在の時刻に対応する処理可能内容を表示部２２に表示させる。例えば、現在の時刻が平日の１３時であり、社員ＢがＩＤカードをカードリーダ２８により読み取らせた場合には、「釣銭準備金を出金する（全てのレジにて可能）」および「レジ両替を行う（全てのレジにて可能）」という２つの処理可能内容が表示部２２に表示されるようになる。なお、操作者がＩＤカードをカードリーダ２８により読み取らせたときに、該当する処理可能内容が存在しないときには、表示部２２に「実行可能な処理はありません」と表示される。なお、図５に示す各処理内容のうち、符号（ｇ）で示す処理内容は貨幣入出金機１０とは直接関係のないものであり、この符号（ｇ）で示す処理内容が貨幣入出金機１０の表示部２２に表示されることはない。
【００３８】
そして、操作者が操作部２４により、表示部２２に表示された処理可能内容から実際に処理を行うものを選択し、確定キーを押下すると、当該処理内容が貨幣入出金機１０において実行される。なお、貨幣入出金機１０から貨幣を出金する場合や、貨幣入出金機１０に貨幣を入金する場合には、前述のように確定キーを押下すると、予め設定された貨幣の入金額または出金額に係る情報が表示部２２に更に表示される。そして、操作者が操作部２４における確定キーを更に押下することにより、表示部２２に表示された入金額分または出金額分の貨幣が貨幣入出金機１０から入出金される。
【００３９】
なお、ＩＤカードがカードリーダ２８により読み取られた後に表示部２２に表示される処理可能内容について、操作者が実際に行いたい処理内容が存在しなかったり、あるいは表示部２２に「実行可能な処理はありません」と表示されたりした場合には、操作者は操作部２４におけるＥＳＣキーを押下すると、全ての処理内容（例えば図５に示す１０種類の処理内容のうち符号（ｇ）で示される処理内容を除く全ての処理内容）が表示部２２に表示されるようになる。そして、操作者が操作部２４により、表示部２２に表示された全ての処理内容の中から実際に処理を行うものを選択し、確定キーを押下すると、当該処理内容が貨幣入出金機１０において実行されるようになる。
【００４０】
以上のように本実施の形態の貨幣入出金機１０においては、操作者ＩＤ情報に対応する処理可能内容を、予め設定された複数の時間帯毎に記憶する記憶部２６が設けられており、制御部２０は、現在の時刻、およびカードリーダ２８からなるＩＤ情報受付部により受け付けられた操作者ＩＤ情報に対応する、記憶部２６に記憶された処理可能内容を表示部２２に表示させるよう制御を行うようになっている。このように、ＩＤ情報受付部において操作者ＩＤ情報が受け付けられたときに、現在の時刻、およびＩＤ情報受付部において受け付けられた操作者ＩＤ情報に対応する、記憶部２６に記憶された処理可能内容のみが表示部２２に表示されることにより、操作者が毎日同じ時間帯に同じ操作を行う際に操作時間の短縮を図るとともに人的操作ミスを防止することができる。
【００４１】
具体的に説明すると、従来の貨幣入出金機では、操作者がＩＤカードをカードリーダにより読み取らせると、当該操作者により実行可能な処理内容とは全く関係のない処理内容を含む全ての処理内容（例えば図５に示す１０種類の処理内容のうち符号（ｇ）で示される処理内容を除く全ての処理内容）が表示部に表示されるようになっており、操作者は、表示部に表示された全ての処理内容の中から実際に実行すべき処理内容を選択しなければならないようになっていた。このため、操作者が誤った処理内容を選択してしまうおそれがあった。また、適切な処理内容を操作者が選択した場合でも、当該処理内容に係る詳細の処理事項の候補が表示部に更に表示され、操作者は表示部に表示された詳細の処理事項の候補の中から一の処理事項を選択する必要があった。例えば、従来の入出金機において、図５における符号（ｉ）で示されるような「釣銭準備金を出金する」という処理内容を選択したときに、表示部には、「１．  当日釣銭準備金」「２．  翌日釣銭準備金」という２つの処理事項の候補が表示され、操作者が例えば「１．  当日釣銭準備金」を選択すると、表示部には更に、「１．  任意出金」「２．  パターン出金」という更なる２つの処理事項の候補が表示され、操作者が例えば「２．  パターン出金」を選択することにより初めて、設定された額の釣銭準備金が出金されるようになっていた。
【００４２】
これに対し、本実施の形態の貨幣入出金機１０では、操作者がＩＤカードをカードリーダ２８により読み取らせると、当該操作者により実行可能な処理内容のみが表示部２２に表示され、操作者がこの表示部２２に表示された処理内容から実際に実行すべき処理内容を選択すると、この処理内容について予め設定された方法により当該処理内容が貨幣入出金機１０において実行されるようになっている。具体的には、操作者が図５における符号（ｉ）で示されるような「釣銭準備金を出金する」という処理内容を選択すると、予め設定された貨幣の出金額に係る情報が表示部２２に表示される。そして、操作者が操作部２４における確定キーを更に押下することにより、予め設定された額の釣銭準備金が出金されるようになる。このように、本実施の形態の貨幣入出金機１０では、操作者が携帯するＩＤカードがカードリーダ２８により読み取られた時点で、操作者の種類とその時の時間を制御部２０において認識することにより、上述のような従来の貨幣入出金機で必要とされる「当日釣銭準備金」「パターン出金」等の詳細の処理事項の候補の表示および選択について省略（ショートカット）することができるようになる。このように、とりわけ担当の入れ替わりが激しく、機械に不慣れなパートやアルバイトにとっては、貨幣入出金機１０における処理を限定することで、上述のようなショートカットメニューが有効となる。
【００４３】
以上のように、本実施の形態の貨幣入出金機１０では、操作者がＩＤカードをカードリーダ２８により読み取らせると、現在の時刻、およびカードリーダ２８において受け付けられた操作者ＩＤ情報に対応する、記憶部２６に記憶された処理可能内容のみが表示部２２に表示されるようになるので、操作者により実行可能な処理内容とは全く関係のない処理内容を含む全ての処理内容を表示部２２に表示させる場合と比較して、操作者が毎日同じ時間帯に同じ操作を行う際に操作時間の短縮を図るとともに人的操作ミスを防止することができるようになる。このことにより、例えば、テナントの店員や警備会社９０の警備員等が貨幣入出金機１０に対して行う処理についても、時間帯により処理内容を限定することができ、これらのテナントの店員や警備会社９０の警備員にとって操作時間を短縮することができるようになる。
【００４４】
また、本実施の形態の貨幣入出金機１０においては、制御部２０は、表示部２２に処理可能内容が表示された後、操作部２４により確定の指令が与えられたときに、貨幣入出金機１０において表示部２２に表示された処理可能内容を実行するよう当該貨幣入出金機１０の制御を行うようになっている。具体的には、ＩＤカードをカードリーダ２８により読み取らせることによって表示部２２に処理可能内容を表示させた後、操作者が操作部２４により、表示部２２に表示された処理可能内容から実際に処理を行うものを選択し、確定キーを押下すると、当該処理内容が貨幣入出金機１０において実行されるようになる。
【００４５】
なお、本実施の形態における貨幣入出金機１０は、上記の態様に限定されるものではなく、様々の変更を加えることができる。例えば、ＩＤ情報として、操作者ＩＤ情報を用いる代わりにレジスター７０のＩＤ情報（以下、レジＩＤ情報ともいう）を用いることができる。この場合には、記憶部２６には、レジＩＤ情報に対応する処理可能内容を、予め設定された複数の時間帯毎に記憶するようになり、制御部２０は、現在の時刻およびレジＩＤ情報に対応する、記憶部２６に記憶された処理可能内容を表示部２２に表示させるよう制御を行うようになる。
【００４６】
また、予め設定された複数の時間帯は、図４（ａ）（ｂ）に示すような曜日毎の時間帯ではなく、単に日毎の時間帯であってもよい。この場合には、平日や土日祝日に関係なく、各時間帯における操作者の種類と処理可能内容との関係について例えば図４（ａ）に示されるような一つの表のみが用いられるようになる。
【００４７】
また、本実施の形態の貨幣入出金機１０においては、処理可能内容として、貨幣入出金機１０からの貨幣の出金額の上限値に係る情報または貨幣入出金機１０への貨幣の入金額の上限値に係る情報が含まれるようになっていてもよい。この場合には、操作者は、これらの出金額や入金額の上限値を超える金額の貨幣を入出金することができないようになる。このことにより、例えばパートやアルバイトが貨幣入出金機１０から多額の貨幣を出金してしまうといったトラブルを防止することができるようになる。
【００４８】
また、本実施の形態の貨幣入出金機１０においては、社員がＩＤカードとしての社員証をカードリーダ２８に読み取らせると、制御部２０は、店舗の本部に設置された上位機器３８に対して当該社員の勤怠データを当該上位機器３８から制御部２０に送信させ、貨幣入出金機１０において勤怠管理を行うようになっていてもよい。
【００４９】
また、本実施の形態のレジスター７０は、紙幣や硬貨の入出金を自動的に行う釣銭機が接続されたものであってもよい。
【００５０】
また、本発明による貨幣取引装置は、図２等に示すような貨幣入出金機１０に限定されることはない。本発明による貨幣取引装置として、紙幣入出金装置または硬貨入出金装置のいずれか一方のみが設けられたもの等、様々な種類の貨幣取引装置を用いることができる。また、本発明による貨幣取引装置は、店舗におけるバックヤード領域ではなくフロント領域に設けられるようになっていてもよい。
【符号の説明】
【００５１】
１  店舗システム
２  フロント領域
３  バークヤード領域
１０  貨幣入出金機
２０  制御部
２１  ターミナル装置
２２  表示部
２４  操作部
２６  記憶部
２８  カードリーダ
３０  サーマルプリンタ
３２  認証プリンタ
３４  送受信部
３６  コンピュータ
３８  上位機器
４０  紙幣入出金装置
４０ａ  筐体
５０  硬貨入出金装置
５０ａ  筐体
６０  棒金投出装置
６０ａ  筐体
７０  レジスター
８０  金庫
９０  警備会社
【図１】
2012203450.tif 000003
【図２】
2012203450.tif 000004
【図３】
2012203450.tif 000005
【図４】
2012203450.tif 000006
【図５】
2012203450.tif 000007